(57)【特許請求の範囲】
【請求項１】
光通信ネットワーク内の送信側ノードに設けられ、波長が互いに異なる２つのパルス光を、時間間隔をおいて、前記光通信ネットワーク内の受信側ノードに送信する送信部と、
前記時間間隔を変化させつつ、前記２つのパルス光が繰り返して送信されるように、前記送信部を制御する送信制御部と、
前記受信側ノードに設けられ、前記送信部から前記光通信ネットワークの中継ノードを介して前記２つのパルス光を受信する受信部と、
前記受信部により受信した前記２つのパルス光のうち、少なくとも一方の位相の変化を検出する検出部と、
前記検出部が前記位相の変化を検出したときの前記時間間隔に基づいて、前記送信側ノードと前記受信側ノードと前記中継ノードとの各ノード間の各伝送路の分散値を測定する測定部とを有することを特徴とする測定装置。
【請求項２】
前記受信側ノードに設けられ、前記送信部から同時に送信された前記２つのパルス光が前記受信部にそれぞれ到着する時間差を計測する計測部を、さらに有し、
前記送信制御部は、前記計測部から前記時間差を取得し、前記時間間隔を０から前記時間差までの範囲において変化させることを特徴とする請求項１に記載の測定装置。
【請求項３】
光通信ネットワーク内の送信側ノードに設けられ、波長が互いに異なる２つのパルス光を、時間間隔をおいて、前記光通信ネットワーク内の受信側ノードに送信する送信部と、
前記時間間隔を変化させつつ、前記２つのパルス光が繰り返して送信されるように、前記送信部を制御する送信制御部と、
前記受信側ノードに設けられ、前記送信部から前記光通信ネットワークの中継ノードを介して前記２つのパルス光を受信する受信部と、
前記受信部により受信した前記２つのパルス光のうち、少なくとも一方の位相の変化を検出する検出部と、
前記検出部により前記位相の変化が検出される回数に基づいて、前記送信側ノードと前記受信側ノードとの間の前記中継ノード数を測定する測定部とを有することを特徴とする測定装置。
【請求項４】
前記２つのパルス光の互いの波長差を制御する波長制御部を、さらに有し、
前記測定部は、前記波長差の変位に対する、取得された前記時間間隔の変位に基づいて、前記送信側ノード、前記受信側ノード、及び前記中継ノードの間の伝送路の各々の波長分散係数を測定することを特徴とする請求項１または２に記載の測定装置。
【請求項５】
前記測定部は、前記伝送路の各々について、前記分散値、及び前記波長分散係数に基づいて、距離を測定することを特徴とする請求項４に記載の測定装置。
【請求項６】
前記２つのパルス光の互いの波長差を制御する波長制御部を、さらに有し、
前記測定部は、前記波長差の変位に対する、取得された前記時間間隔の変位に基づいて、前記送信側ノード、前記受信側ノード、及び前記中継ノードの間の伝送路の各々の波長分散係数を測定することを特徴とする請求項３に記載の測定装置。
【請求項７】
請求項１乃至６の何れかに記載の測定装置から、前記測定部が測定したパラメータの少なくとも１つを取得し、前記パラメータに基づいて、前記送信側ノードと前記受信側ノードとの間の１つ、または複数の経路の伝送性能を評価する評価部を有することを特徴とするネットワーク設計装置。
【請求項８】
前記評価部による該評価の結果に基づいて、前記複数の経路から１つの経路を選択する選択部を、さらに有することを特徴とする請求項７に記載のネットワーク設計装置。
【請求項９】
請求項１乃至６の何れかに記載の測定装置と、
前記送信側ノードに設けられ、光信号を送信する送信装置と、
前記受信側ノードに設けられ、光信号を受信する受信装置と、
前記送信側ノード、及び前記受信側ノードの少なくとも一方に設けられた制御装置とを有し、
前記制御装置は、
前記測定部が測定したパラメータの少なくとも１つを取得し、前記パラメータに基づき、前記送信側ノードと前記受信側ノードとの間の複数の経路について、それぞれの伝送性能を評価する評価部と、
前記評価部による該評価の結果に基づいて、前記複数の経路から１つの経路を選択する選択部と
前記送信装置、及び前記受信装置が、前記選択部により選択された経路を介して、前記光信号を送受信するように、前記送信装置、または前記受信装置を制御する制御部とを有することを特徴とする伝送システム。
【請求項１０】
請求項１乃至６の何れかに記載の測定装置から、前記測定部が測定したパラメータの少なくとも１つを取得し、前記パラメータに基づき、前記送信側ノードと前記受信側ノードとの間の複数の経路について、それぞれの伝送性能を評価する評価部と、
前記評価部による該評価の結果に基づいて、前記複数の経路から１つの経路を選択する選択部と、
前記送信側ノードと前記受信側ノードとの間において、前記選択部により選択された経路を介して、光信号が送受信されるように、前記光通信ネットワーク内の複数の伝送装置を制御する装置制御部とを有することを特徴とするネットワーク管理装置。
【発明の詳細な説明】
【技術分野】
【０００１】
本発明は、測定装置、ネットワーク設計装置、伝送システム、ネットワーク管理装置に関する。
【背景技術】
【０００２】
光通信ネットワークにおいて、送信側ノードから受信側ノードに至る経路（つまり、パス）を設計する場合、事前の現地調査により当該経路に関するパラメータを測定する必要がある。このパラメータとしては、例えば、送信側ノードと受信側ノードとの間の伝送路数、各伝送路の距離、伝送損失、及び波長分散係数などが挙げられる。
【０００３】
パラメータの測定に関し、例えば、特許文献１及び２には、パルス光の分岐路の一方に、既知の長さの光ファイバを接続した測定系を用いて、パルス光の波長の変化分に対する遅延時間の変化分に基づいて波長分散係数を測定する技術が開示されている。また、ＯＴＤＲ法（ＯＴＤＲ：Ｏｐｔｉｃａｌ  Ｔｉｍｅ  Ｄｏｍａｉｎ  Ｒｅｆｌｅｃｔｍｅｔｅｒ）によると、入射したパルス光に対する反射光に基づいて、経路内の光ファイバの長さ、伝送損失、及び波長分散係数が測定される。このような測定によって取得されたパラメータは、経路の設計において、経路の伝送性能の判定に用いられる。
【０００４】
例えば、特許文献３には、経路内の各装置に、該装置の伝送性能に関連するパラメータを記憶しておき、装置間においてパラメータの累積値を順次に送受信することによって、経路の終端部の装置において、経路の伝送性能を判定する技術が開示されている。また、特許文献４には、経路内の各装置から該装置の伝送性能に関連するパラメータを収集して、収集したパラメータに基づいて符号誤り率などを算出し、符号誤り率が最小となるように各装置を制御する技術が開示されている。
【先行技術文献】
【特許文献】
【０００５】
【特許文献１】特開平６−１７４５９２号公報
【特許文献２】特開平４−１７７１４１号公報
【特許文献３】特開２００９−１１８１０１号公報
【特許文献４】特開平１１−８５９０号公報
【発明の概要】
【発明が解決しようとする課題】
【０００６】
光通信ネットワーク内の経路は、通信需要の増加に伴う光ファイバの増設に加え、経路のパタンが多いメッシュ型ネットワークの採用により複雑化している。光通信ネットワークが、波長多重装置を含むＷＤＭネットワーク（ＷＤＭ：Ｗａｖｅｌｅｎｇｔｈ  Ｄｉｖｉｓｉｏｎ  Ｍｕｌｔｉｐｌｅｘｉｎｇ）である場合、波長ごとに経路が管理されるから、さらに経路が複雑化する。なお、波長多重装置は、例えば、ＯＡＤＭ（Ｏｐｔｉｃａｌ  Ａｄｄ−Ｄｒｏｐ  Ｍｕｌｔｉｐｌｅｘｅｒ）のように、複数の波長信号を多重化する装置である。
【０００７】
上述したパラメータの測定作業は、送信側ノードから受信側ノードに至る全ての経路について実施されるので、ネットワーク設計の作業時間、費用、及び管理負担が増加するという問題がある。この問題は、時刻に応じた通信量の変動に対処するように、経路が動的に切り替えられる場合、経路の条件の変化を伴うので、深刻である。
【０００８】
これに対し、全ての経路ではなく、決定された経路についてのみ測定作業を行えば、測定対象となる経路の数が低減されるが、結局のところ、経路内の全伝送路について測定を行う必要があるため、やはり、多くの作業時間を要する。
【０００９】
例えば、上述した光パルス法（特許文献１及び２参照）を用いた場合、経路の終端部におけるパルス光の観測が必要となるため、波長分散係数が全伝送路の累積値として測定される。したがって、パルス光法によると、全伝送路を通した測定が不可能であるため、伝送路ごとに行う負担が生ずる。これは、変調光を用いて得た位相シフト量に基づいて波長分散係数を測定する位相シフト法についても同様である。さらに、上述したＯＴＤＲ法を用いた場合も、経路内に中継用のアンプ装置が設けられていると、該アンプ装置が反射光を遮断するため、全伝送路を通した測定が行えず、やはり、伝送路ごとに測定を行う負担が生ずる。
【００１０】
また、光通信ネットワークが別々に管理された２以上のドメインにわたっており、構成が不明確なドメインが含まれる場合、測定に先立って、当該構成の調査が必要となる。この調査は、各ドメインを管理する会社が異なる場合、煩雑であり、より多くの作業時間を要するという問題がある。
【００１１】
本発明の目的は、通信ネットワークのパラメータを簡便に測定し得る測定装置、ネットワーク設計装置、伝送システム、ネットワーク管理装置を提供することである。
【課題を解決するための手段】
【００１２】
本明細書に記載の測定装置は、光通信ネットワーク内の送信側ノードに設けられ、波長が互いに異なる２つのパルス光を、時間間隔をおいて、前記光通信ネットワーク内の受信側ノードに送信する送信部と、前記時間間隔を変化させつつ、前記２つのパルス光が繰り返して送信されるように、前記送信部を制御する送信制御部と、前記受信側ノードに設けられ、前記送信部から前記光通信ネットワークの中継ノードを介して前記２つのパルス光を受信する受信部と、前記受信部により受信した前記２つのパルス光のうち、少なくとも一方の位相の変化を検出する検出部と、前記検出部が前記位相の変化を検出したときの前記時間間隔に基づいて、前記送信側ノードと前記受信側ノードと前記中継ノードとの各ノード間の各伝送路の分散値を測定する測定部とを有する。
【００１３】
本明細書に記載の測定装置は、光通信ネットワーク内の送信側ノードに設けられ、波長が互いに異なる２つのパルス光を、時間間隔をおいて、前記光通信ネットワーク内の受信側ノードに送信する送信部と、前記時間間隔を変化させつつ、前記２つのパルス光が繰り返して送信されるように、前記送信部を制御する送信制御部と、前記受信側ノードに設けられ、前記送信部から前記光通信ネットワークの中継ノードを介して前記２つのパルス光を受信する受信部と、前記受信部により受信した前記２つのパルス光のうち、少なくとも一方の位相の変化を検出する検出部と、前記検出部により前記位相の変化が検出される回数に基づいて、前記送信側ノードと前記受信側ノードとの間の前記中継ノード数を測定する測定部とを有する。
【発明の効果】
【００１４】
本明細書に記載の測定装置、ネットワーク設計装置、伝送システム、ネットワーク管理装置は、通信ネットワークのパラメータを簡便に測定できるという効果がある。
【図面の簡単な説明】
【００１５】
【図１】実施例に係る光通信ネットワークの構成図である。
【図２】送信側ノードから受信側ノードに至る経路の１つを示す構成図である。
【図３】２つのパルス光を同時に送信した場合の伝搬遅延を示す図である。
【図４】相互位相変調を説明するための図である。
【図５】２つのパルス光を、互いに時間間隔をおいて送信した場合の伝搬遅延を示す図である。
【図６】時間間隔の変化に対するパルス光の位相の揺らぎを示すグラフである。
【図７】２つのパルス光の波長差を変化させた場合の時間間隔の変化に対するパルス光の位相の揺らぎを示すグラフである。
【図８】２つのパルス光の波長差の変化に対する伝搬遅延時間の変化を示すグラフである。
【図９】測定装置の構成図である。
【図１０】揺らぎ検出器における揺らぎの検出方法を説明するための図である。
【図１１】測定処理のフロー図である。
【図１２】ネットワーク管理装置の構成図である。
【図１３】伝送性能の評価処理のフロー図である。
【図１４】評価処理に用いられるデータベースの一例を示す表である。
【図１５】ネットワーク管理装置の処理を示すフロー図である。
【図１６】送信側ノードの波長多重装置の構成図である。
【図１７】受信側ノードの波長多重装置の構成図である。
【図１８】波長多重装置内の制御装置の構成図である。
【図１９】測定装置、及び主信号送受信装置の機能を有する通信装置の構成の構成図である。
【発明を実施するための形態】
【００１６】
図１は、本実施例に係る光通信ネットワークの構成図である。光通信ネットワーク１は、複数のノード（Ａ）〜（Ｋ）１０ａ，１０ｂ，１０ｃを含み、メッシュ型の形態を有する。ノード（Ａ）〜（Ｋ）１０ａ〜１０ｃは、例えばＯＡＤＭなどの波長多重装置であり、互いに光ファイバにより接続されている。なお、ノード１０ａ〜１０ｃ間の接続は、多重化されていてもよい。
【００１７】
本実施例において、ノード（Ａ）１０ａは、所定の波長λの光信号を送信する送信側ノードであり、他方、ノード（Ｋ）１０ｂは、該光信号を受信する受信側ノードである。また、その他のノード（Ｂ）〜ノード（Ｊ）１０ｃは、該光信号を中継する中継ノードである。光信号をノード（Ａ）１０ａからノード（Ｋ）１０ｂまで伝送させる場合、光通信ネットワーク１内には複数の経路が存在する。例えば、光信号がノード（Ｂ）１０ｃ、ノード（Ｆ）１０ｃ、ノード（Ｇ）１０ｃ、ノード（Ｊ）１０ｃの順に経由する経路Ｒ１と、光信号がノード（Ｂ）１０ｃ、ノード（Ｆ）１０ｃ、ノード（Ｈ）１０ｃ、ノード（Ｊ）１０ｃの順に経由する経路Ｒ２とがある。
【００１８】
ネットワーク設計を行う場合、送信側ノード（Ａ）１０ａから受信側ノード（Ｋ）１０ｂに至る複数の経路のうち、伝送性能の観点から最適な経路が選択される。伝送性能の評価には、経路に含まれる各ノード１０ａ〜１０ｃ間の伝送路ごとに測定されたパラメータが用いられる。
【００１９】
図２には、経路Ｒ１を例として、伝送性能の評価に用いられるパラメータの例が示されている。パラメータとしては、送信側ノード（Ａ）１０ａから受信側ノード（Ｋ）１０ｂまでの伝送路数Ｎ（図の例では５）、各伝送路の光ファイバ長である距離Ｉ（１）〜Ｉ（５）、及び、各伝送路の伝搬遅延に関わる波長分散係数ｄ（１）〜ｄ（５）がある。これらのパラメータは、送信端（Ｔｘ）２ａから経路Ｒ１を介して受信端（Ｒｘ）２ｂまで光信号を伝送する場合の伝送品質に影響を与える。なお、以降、経路Ｒ１を例示して説明を行うが、他の経路についても同様である。
【００２０】
パラメータの測定は、光通信ネットワーク１の構成が不明確である場合、容易ではない。例えば、図１に示されるように、送信側ノード（Ａ）１０ａと受信側ノード（Ｋ）１０ｂとの間に、他のノードとは別に管理されたネットワーク１ａが存在する場合、経路Ｒ１内の中継ノード（Ｂ）〜（Ｊ）１０ｃの構成が不明確となる。
【００２１】
図３に示されるように、本実施例の測定装置３，４は、送信側ノード（Ａ）１０ａ、及び受信側ノード（Ｋ）１０ｂにそれぞれ設けられているため、ネットワーク１ａ内の中継ノード（Ｂ）〜（Ｊ）１０ｃの構成に依らずに、測定が可能である。測定時、送信側ノード（Ａ）１０ａに設けられた送信側測定装置３は、波長が異なる２つのパルス光Ｐａ，Ｐｂを、受信側ノード（Ｋ）１０ｂに設けられた受信側測定装置４に送信する。受信側測定装置４は、パルス光Ｐａ，Ｐｂを受けることによりパラメータを測定する。
【００２２】
２つのパルス光Ｐａ，Ｐｂは、波長λａ，λｂをそれぞれ有している。波長λａ，λｂの差分Δλは、例えば１（ｎｍ）である。また、パルス光Ｐａ，Ｐｂの幅は、伝送路の長さ、光ファイバの種別、及び波長分散値などを考慮して設定され、例えば３００（ｐｓ）程度とする。
【００２３】
図３には、パルス光Ｐａ，Ｐｂが同時に送信された場合における伝搬の様子が描かれている。パルス光Ｐａ，Ｐｂは、光ファイバの波長分散により相対的な伝搬遅延が生ずる。図中、各伝送路において生ずる伝搬遅延時間を、送信側ノード（Ａ）１０ａから受信側ノード（Ｋ）１０ｂに向かって、それぞれ、τ１、τ２、τ３、τ４、τ５であるものとする。
【００２４】
すなわち、伝搬遅延時間の累積値は、一方のパルス光Ｐａが各中継ノード（Ｂ）〜（Ｊ）１０ｃから出力された時点を基準として、それぞれ、τ１，τ１＋τ２，τ１＋τ２＋τ３，τ１＋τ２＋τ３+τ４となる。また、パルス光Ｐａ，Ｐｂが受信側ノード（Ｋ）１０ｂに到達する時間差τｒは、τ１＋τ２＋τ３+τ４+τ５となる。
【００２５】
パルス光Ｐａ，Ｐｂは、送信側測定装置３から出力されたとき、送信側ノード（Ａ）１０ａの出力端の近傍（符号Ｘ参照）において相互位相変調（ＸＰＭ：Ｃｒｏｓｓ  Ｐｈａｓｅ  Ｍｏｄｕｌａｔｉｏｎ）によって位相に揺らぎが生ずる。相互位相変調は、光ファイバ内において生ずる非線形現象である。
【００２６】
図４は、相互位相変調を説明するための図である。図中のグラフは、送信側ノード（Ａ）１０ａから中継ノード（Ｂ）１０ｃに至るまでのパルス光Ｐａ，Ｐｂの光強度の変化を示している。グラフに示されるように、光強度は、対数により表示された場合、光ファイバによる伝送損失のために、送信側ノード（Ａ）１０ａから中継ノード（Ｂ）１０ｃに向かって線形的に減少する。
【００２７】
光強度が比較的に強い領域Ａ１内（例えば、０（ｄＢｍ）近傍）において、パルス光Ｐａ，Ｐｂ（符号Ｗ１参照）は、光ファイバ内において重なり合った状態で伝搬すると、相互位相変調の効果により位相に揺らぎが生ずる（符号Ｗ２参照）。一方、光強度が比較的に弱い領域Ａ２内では、相互位相変調は発生せず、位相の揺らぎは生じない（符号Ｗ３参照）。
【００２８】
本実施例の測定装置３，４は、相互位相変調による位相の揺らぎ、つまり位相の変化を検出することによって伝搬遅延時間τ１〜τ５を計測する。パルス光Ｐａ，Ｐｂは、送信側ノード（Ａ）１０ａ、及び各中継ノード（Ｂ）〜（Ｊ）１０ｃを通過するごとに、中継ノード（Ｂ）〜（Ｊ）１０ｃに設けられたアンプなどの増幅装置により増幅される。したがって、パルス光Ｐａ，Ｐｂが、各中継ノード（Ｂ）〜（Ｊ）１０ｃの出力端近傍において重なるように、パルス光Ｐａ，Ｐｂ同士の送信時間差が調整された場合、該出力端近傍において相互位相変調が発生する。この相互位相変調の発生は、受信側ノード（Ｋ）１０ｂにおいて位相の変化として検出される。なお、中継ノード（Ｂ）〜（Ｊ）１０ｃに設けられたアンプは相互位相変調による位相の揺らぎが生じるようにパルス光Ｐａ，Ｐｂを増幅する利得が調整されるように構成することができる。
【００２９】
例えば、図５には、上記の送信時間差、つまりパルス光Ｐａ，Ｐｂの互いの時間間隔τｔ＝τ１として、パルス光Ｐａ，Ｐｂを送信した場合の伝搬の様子が描かれている。この場合、送信側ノード（Ａ）１０ａと中継ノード（Ｂ）１０ｃの間の伝搬遅延時間τ１は、送信時の時間間隔τ１により相殺される。このため、パルス光Ｐａ，Ｐｂは、中継ノード（Ｂ）１０ｃの出力端付近において重なり合い、相互位相変調により位相に揺らぎが生ずる（符号Ｘ参照）。
【００３０】
また、この場合、パルス光Ｐａ，Ｐｂは、他の中継ノード（Ｆ）〜（Ｊ）１０ｃの出力端付近において、相対的に時間τ２，τ２＋τ３，τ２＋τ３+τ４の伝搬遅延がそれぞれ生じているから、重なることはない。したがって、経路Ｒ１内において、パルス光Ｐａ，Ｐｂの位相に揺らぎが生ずる位置は、送信側ノード（Ａ）１０ａ、及び各中継ノード（Ｂ）〜（Ｊ）１０ｃのうち、何れか１つの出力端近傍となる。
【００３１】
同様に、時間間隔τｔ＝τ１＋τ２，τ１＋τ２＋τ３，τ１＋τ２＋τ３+τ４の場合、パルス光Ｐａ，Ｐｂは、他の中継ノード（Ｆ），（Ｇ），（Ｊ）１０ｃの出力端付近において重なり、位相に揺らぎが生ずる。よって、送信側測定装置３が、パルス光Ｐａ，Ｐｂを、互いの時間間隔τｔを変化させつつ、繰り返し送信し、一方、受信側測定装置４が、位相の変化を検出することによって、各伝送路の伝搬遅延時間τ１〜τ５を測定することができる。
【００３２】
図６には、パルス光Ｐａ，Ｐｂの時間間隔τｔを０からτｒ（＝τ１＋τ２＋τ３+τ４+τ５）まで変化させたときの位相が示されている。ここで、時間τｒは、パルス光Ｐａ，Ｐｂを同時に送信したとき、つまり、時間間隔τｔ＝０とした場合における、パルス光Ｐａ，Ｐｂの受信側ノード（Ｋ）１０ｂへの到着の時間差として得られる。
【００３３】
本実施例では、位相揺らぎを生じる中継ノード１０ｃより送信側ノード１０ａの各伝送路の伝搬遅延時間を用いて各伝送路の波長分散値を算出しているが、位相揺らぎを生じる中継ノード１０ｃより受信側ノード１０ｂの各伝送路の伝搬遅延時間を用いて各伝送路の波長分散値を算出してもよい。また、位相揺らぎを生じる中継ノード１０ｃより送信側ノード１０ａおよび受信側ノード１０ｂの両方の各伝送路の伝搬遅延時間を用いて各伝送路の波長分散値を算出してもよい。
【００３４】
位相の変化は、ピークが現れる時間間隔τｔ＝０，τ１，τ１＋τ２，τ１＋τ２＋τ３，τ１＋τ２＋τ３+τ４の場合において検出される。したがって、受信側ノード（Ｋ）１０ｂにおいて、位相の変化が検出される回数を取得することによって、送信側ノード１０ａと受信側ノード１０ｂとの間の伝送路数Ｎ（＝５）が測定される。そして、この伝送路数Ｎから、送信側ノード１０ａと受信側ノード１０ｂとの間に存在する中継ノード１０ｃの数が得られる。例えば、図２に示される例において、伝送路数Ｎ＝５であるから、Ｎ−１＝４が中継ノード数となる。
【００３５】
また、位相の変化が検出されるごとに時間間隔τｔ（＝０，τ１，τ１＋τ２，τ１＋τ２＋τ３，τ１＋τ２＋τ３+τ４）を取得することによって、送信側ノード１０ａと受信側ノード１０ｂとの間の各伝送路の分散値が測定される。具体的には、分散値は、揺らぎが検出される時間間隔、つまり、各伝送路の伝搬遅延時間τｎ（＝τ１〜τ５）、及び、以下の式に基づいて算出される。
【００３６】
各伝送路の伝搬遅延時間τｎ、距離Ｉ（ｎ）、波長分散係数ｄ（ｎ）、及びパルス光Ｐａ，Ｐｂの波長差Δλの間には、次式の関係が成立する。
Ｉ（ｎ）×ｄ（ｎ）×Δλ＝τｎ  （ｎ＝１〜５）                    （式１）
【００３７】
したがって、各伝送路の分散値Ｄｎは、以下の式により得られる。
Ｄ（ｎ）＝Ｉ（ｎ）×ｄ（ｎ）＝τｎ／Δλ  （ｎ＝１〜５）          （式２）
ここで、波長差Δλ＝１（ｎｍ）とした場合、各伝送路の分散値Ｄｎは、伝搬遅延時間τｎ（＝τ１〜τ５）として得られる。
【００３８】
また、波長分散係数ｄｎは、パルス光Ｐａ，Ｐｂの波長差Δλを変化させて、上述した伝搬遅延時間τｎの測定を繰り返すことによって得られる。図７には、他方のパルス光の波長λｂをλｂ＋１（＞λｂ）に変化させた場合における伝搬遅延時間τｎの測定結果が示されている。すなわち、この場合、波長差Δλがλｂ−λａからλｂ＋１ − λａに変化している。
【００３９】
図示されるように、波長差Δλが変化することによって、伝搬遅延時間τ１〜τ５も変化する。このようにして各伝送路の伝搬遅延時間τ１〜τ５を繰り返し測定した後、伝送路ごとに、波長λｂの変化に対する伝搬遅延時間τｎの特性を、例えばセルマイヤ近似式を用いて算出する。
【００４０】
図８には、例として、波長λｂの変化に対する伝搬遅延時間τ１の特性が示されている。波長分散係数ｄ１は、波長差Δλの変位に対する伝搬遅延時間τ１の変位に基づいて測定される。つまり、波長分散係数ｄ（１）は、特性曲線の微分値（直線Ｌ参照）として得られる。また、特性曲線の微分値が０（直線Ｌ’参照）になる波長は、ゼロ分散波長λｏ（ｎｍ）である。なお、他の伝送路の波長分散係数ｄ（ｎ）、ゼロ分散波長λｏ（ｎｍ）についても同様に測定される。
【００４１】
このようにして得られた波長分散係数ｄｎにより、各伝送路の光ファイバの種別が特定される。光ファイバの種別としては、例えばシングルモードファイバ（ＳＭＦ：Ｓｉｎｇｌｅ  Ｍｏｄｅ  Ｆｉｂｅｒ）、分散シフトファイバ（ＤＳＦ：Ｄｉｓｐｅｒｓｉｏｎ  Ｓｈｉｆｔｅｄ  Ｆｉｂｅｒ）などが挙げられる。
【００４２】
また、上記の式２により、距離Ｉ（ｎ）は、分散値Ｄ（ｎ）、及び波長分散係数ｄ（ｎ）に基づいて、次式により得られる。
Ｉ（ｎ）＝Ｄ（ｎ）／ｄ（ｎ）      （ｎ＝１〜５）              （式３）
さらに、光ファイバの伝送損失を、距離Ｉ（ｎ）、及び典型的なパラメータを用いて推定することが可能である（例えば、伝送損失＝Ｉ（ｎ）×０．２［ｄＢ／ｋｍ］）。
【００４３】
次に、図９を参照して、測定装置３，４の構成を説明する。送信側測定装置３は、送信部３０と、合波器３１と、波長制御部３２と、送信制御部３３と、通信処理部３４とを有する。なお、図中、光信号は、点線により示され、他方、電気信号は、実線により示されている。これは、以降の図においても同様である。
【００４４】
送信部３０は、光通信ネットワーク１内の送信側ノード（Ａ）１０ａに設けられ、波長λａ，λｂが互いに異なる２つのパルス光Ｐａ，Ｐｂを、時間間隔τｔをおいて、光通信ネットワーク１内の受信側ノード（Ｋ）１０ｂに送信する。具体的には、送信部３０は、第１及び第２光源３００ａ，３００ｂと、第１及び第２変調器３０１ａ，３０１ｂとを含む。第１及び第２光源３００ａ，３００ｂは、波長制御部３２により制御された波長の光を出力する波長可変光源である。また、第１及び第２変調器３０１ａ，３０１ｂは、例えば、ＬＮ変調器（ＬＮ：Ｌｉｔｈｉｕｍ  Ｎｉｏｂａｔｅ）であり、第１及び第２光源３００ａ，３００ｂの光からパルス光Ｐａ，Ｐｂを生成する。
【００４５】
波長制御部３２は、２つのパルス光Ｐａ，Ｐｂの互いの波長差Δλを制御する。具体的には、波長制御部３２は、第１及び第２光源３００ａ，３００ｂに波長λａ，λｂをそれぞれ設定する。
【００４６】
送信制御部３３は、時間間隔τｔを変化させつつ、２つのパルス光Ｐａ，Ｐｂが繰り返して送信されるように、送信部３０を制御する。つまり、送信制御部３３は、２つのパルス光Ｐａ，Ｐｂをそれぞれ送信するタイミングを送信部３０に与える。波長制御部３２、及び送信制御部３３は、通信処理部３４を介して、受信側測定装置４から受信した制御信号に基づいて制御される。
【００４７】
第１及び第２変調器３０１ａ，３０１ｂからそれぞれ出力されたパルス光Ｐａ，Ｐｂは、合波器３１に入力される。合波器３１は、例えば光カプラである。合波器３１を出たパルス光Ｐａ，Ｐｂは、中継ノード（Ｂ）〜（Ｊ）１０ｃを含むネットワーク１ａを介して、受信側測定装置４に送信される。
【００４８】
受信側測定装置４は、分波器４０と、揺らぎ検出器４１と、時間差検出器４２と、測定部４３と、通信処理部４４とを含む。分波器４０は、例えば光カプラである。ネットワーク１ａからのパルス光Ｐａ，Ｐｂは、分波器４０によって、揺らぎ検出器４１、及び時間差検出器４２に出力される。
【００４９】
揺らぎ検出器４１は、波長制御部４１０と、参照光源４１１と、光学フィルタ４１２と、検出部４１３と、電気フィルタ４１４と、第１受光器４１５と、合波器４１６とを含む。光学フィルタ４１２は、所定の波長λａの光のみを通過させるフィルタである。したがって、分波器４０からの２つのパルス光Ｐａ，Ｐｂのうち、一方のパルス光Ｐａのみが後段の合波器４１６に出力される。
【００５０】
また、参照光源４１１は、波長可変光源であり、波長制御部４１０により設定された波長λｃの参照光を、合波器４１６に出力する。波長λｃは、測定部４３から波長制御部４１０に設定される。合波器４１６からのパルス光Ｐａ、及び参照光の合成光は、第１受光器４１５により受光されて電気信号に変換される。第１受光器４１５は、例えばフォトダイオードである。また、電気フィルタ４１４は、例えばバンドパスフィルタであり、第１受光器４１５から入力された所定の周波数帯域の電気信号のみを通過させる。
【００５１】
検出部４１３は、第１受光器４１５により受信したパルス光Ｐａの位相の変化を検出する。具体的には、検出部４１３は、電気フィルタ４１４からの電気信号に基づいて、パルス光Ｐａの位相の変化を検出し、該検出信号を測定部４３に出力する。
【００５２】
図１０は、揺らぎ検出器４１における位相変化の検出方法を説明するための図である。第１受光器４１５には、グラフＧ１に示されるように、周波数ｆａのパルス光Ｐａ、及び周波数ｆｃの参照光が入力される。このため、第１受光器４１５は、グラフＧ２に示されるように、周波数ｆａ，ｆｃの差分の周波数Δｆにより振動するビート信号を出力する。
【００５３】
パルス光Ｐａの位相に揺らぎが生じたとき、グラフＧ３に示されるように、周波数ｆａに乱れ（符号Ｑ１参照）が生ずる。このため、第１受光器４１５から出力されるビート信号の周波数Δｆにも、グラフＧ４に示されるように、乱れ（符号Ｑ２参照）が生ずる。
【００５４】
電気フィルタ４１４は、所定の範囲内の周波数の電気信号を通過させるため、周波数Δｆに乱れＱ２が生じたとき、グラフＧ５に示されるように、出力信号が消失する（符号Ｑ３参照）。検出部４１３は、この信号の消失を、電圧検出回路などの電気的な検出手段により検出する。なお、揺らぎ検出器４１は、２つのパルス光Ｐａ，Ｐｂの位相の変化を検出してもよい。
【００５５】
再び図９を参照すると、時間差検出器４２は、第２受光器４２１、及び計測部４２２を含む。第２受光器４２１は、例えばフォトダイオードであり、２つのパルス光Ｐａ，Ｐｂを受信して、電気信号を出力する。つまり、第１及び第２受光器４１５，４２１は、受信側ノード（Ｋ）１０ｂに設けられ、送信部３０から光通信ネットワーク１を介して２つのパルス光Ｐａ，Ｐｂを受信する受信部として機能する。
【００５６】
計測部４２２は、受信側ノード（Ｋ）１０ｂに設けられ、送信部３０から同時に送信された２つのパルス光Ｐａ，Ｐｂが第２受光器４２１にそれぞれ到着する時間差を計測する。計測部４２２は、時間間隔τｔ＝０としてパルス光Ｐａ，Ｐｂが送信された場合、例えば、一方のパルス光Ｐａが到着したときにタイマをスタートさせ、その後、他方のパルス光Ｐｂが到着したときのタイマ値を得ることによって到着の時間差τｒを計測する。
【００５７】
計測部４２２は、計測した到着の時間差τｒを測定部４３に出力する。そして、測定部４３は、時間差τｒを、通信処理部４４を介して送信側測定装置３内の送信制御部３３に送信する。送信制御部３３は、時間差τｒを受信し、時間間隔τｔを０から時間差τｒまでの範囲において変化させる。これにより、簡便にτｒの値を決定し、伝搬遅延τ１〜τ５を測定することができる。なお、時間差τｒは、これに限定されず、例えば、測定に先立って見積もった伝搬遅延時間に基づいて、決定されてもよい。
【００５８】
測定部４３は、測定処理を全体的に制御し、上述した手法によりパラメータを測定する。測定部４３は、例えば、ＣＰＵ（Ｃｅｎｔｒａｌ  Ｐｒｏｃｅｓｓｉｎｇ  Ｕｎｉｔ）などの演算処理回路を含む。測定部４３は、検出部４１３が位相の変化を検出したときの時間間隔τｔに基づいて、送信側ノード１０ａと受信側ノード１０ｂと中継ノード１０ｃとの各ノード間の各伝送路の分散値Ｄ（ｎ）を測定する。時間間隔τｔの制御は、測定部４３、及び送信制御部３３の何れか一方により制御されるとよい。後者の場合、測定部４３は、時間間隔τｔを、通信処理部４４を介して送信制御部３３から取得する。
【００５９】
また、測定部４３は、図６を参照して述べたとおり、検出部４１３により位相の変化が検出される回数に基づいて、送信側ノード１０ａと受信側ノード１０ｂとの間の伝送路数Ｎを測定する。そして、測定部４３は、伝送路数Ｎから、送信側ノード１０ａと受信側ノード１０ｂとの間の中継ノード１０ｃの数を測定する。さらに、測定部４３は、図７及び図８を参照して述べたとおり、波長差Δλの変位に対する、取得された時間間隔τｔの変位に基づいて、各ノード１０ａ〜１０ｃ間の伝送路の各々の波長分散係数ｄ（ｎ）を測定する。また、測定部４３は、分散値Ｄ（ｎ）、及び波長分散係数ｄ（ｎ）に基づいて、距離Ｉ（ｎ）も測定する。
【００６０】
測定部４３は、通信処理部４４を介して、送信側測定装置３と通信する。送信側測定装置３と受信側測定装置４は、ＬＡＮ（Ｌｏｃａｌ  Ａｒｅａ  Ｎｅｔｗｏｒｋ）などの通信手段により互いに接続され、上述した測定処理に用いられる制御情報が送受信される。
【００６１】
図１１には、測定処理のフローが示されている。測定が開始されると、測定部４３は、変数ｋ＝０にセットし（ステップＳｔ１）、通信処理部３４，４４を介して、送信制御部３３に測定開始を指示する。
【００６２】
送信制御部３３は、波長λａ，λｂのパルス光Ｐａ，Ｐｂが同時に送信されるように送信部２０を制御する（ステップＳｔ２）。つまり、送信制御部３３は、波長λａ，λｂのパルス光Ｐａ，Ｐｂが、互いの時間間隔τｔ＝０として送信されるように制御する。なお、波長制御部３２は、送信に先立ち、第１及び第２光源３００ａ，３００ｂの波長を波長λａ，λｂにそれぞれ設定する。
【００６３】
次に、時間差検出器４２は、ステップＳｔ２の処理により送信されたパルス光Ｐａ，Ｐｂが到着した時間差τｒを計測して、測定部４３に出力する（ステップＳｔ３）。測定部４３は、当該時間差τｒを、通信処理部３４，４４を介して、送信制御部３３に通知する。
【００６４】
次に、送信制御部３３は、２つのパルス光Ｐａ，Ｐｂ間の時間間隔τｔを０からτｒの範囲において変化させつつ、２つのパルス光Ｐａ，Ｐｂが繰り返して送信されるように、送信部３０を制御する。送信制御部３３は、図６に示されるように、時間間隔τｔについて、０からτｒの範囲を走査するのであれば、時間間隔τｔを、増加させる方向、及び減少させる方向の何れに変化させてもよい。なお、時間間隔τｔの変位の刻み幅は、目標とする測定精度に応じて決定される。
【００６５】
次に、測定部４３は、検出部４１３により位相変化が検出される回数、及び時間間隔τ１〜τ５を取得する（ステップＳｔ５）。そして、測定部４３は、取得した値に基づいて、送信側ノード（Ａ）１０ａと受信側ノード（Ｋ）１０ｂとの間の伝送路数Ｎ、中継ノー度数、及び各伝送路の分散値Ｄ（１）〜Ｄ（５）を測定する（ステップＳｔ６）。
【００６６】
次に、測定部４３は、変数ｋ＝０が成立するか否かを判定する（ステップＳｔ７）。変数ｋ＝０が成立する場合（ステップＳｔ７のＹＥＳ）、測定部４３は、変数ｋ＝ｋ＋１にセットする（ステップＳｔ１０）。そして、測定部４３は、通信処理部３４，４４を介して、波長制御部３２に、一方のパルス光Ｐｂの波長をλｂからλｂ＋１に変更するように指示し（ステップＳｔ１１）、送信制御部３３に再度の測定を指示する。これにより、ステップＳｔ２〜Ｓｔ６の処理が再度、行われる。
【００６７】
ステップＳｔ７の判定処理において、変数ｋ＝０が成立しない場合（ステップＳｔ７のＮＯ）、測定部４３は、伝送路ごとに、波長間隔Δλ（＝λｂ−λａ）、及び分散値Ｄ（ｎ）にセルマイヤ近似式を適用する（ステップＳｔ８）。そして、測定部４３は、セルマイヤ近似式による近似精度が十分か否かを判定する（ステップＳｔ９）。この判定処理において、例えば、測定により得た分散値Ｄ（ｎ）と、対応する近似値との差分が所定の閾値以内であれば、近似精度が十分であると判定される。
【００６８】
ステップＳｔ９の判定処理において、近似精度が十分ではないと判定された場合（ステップＳｔ９のＮＯ）、ステップＳｔ１０以降の処理が繰り返される。一方、ステップＳｔ９の判定処理において、近似精度が十分であると判定された場合（ステップＳｔ９のＹＥＳ）、測定部４３は、各伝送路の分散係数ｄ（ｎ）、距離Ｉ（ｎ）、及びゼロ分散波長λｏを測定する（ステップＳｔ１２）。そして、測定部４３は、伝送路ごとに、分散係数ｄ（１）〜ｄ（５）に基づいてファイバ種別を特定する（ステップＳｔ１３）。このようにして、測定部４３は、パラメータの測定処理を行う。
【００６９】
本実施例の測定装置３，４は、送信側ノード（Ａ）１０ａに設けられた送信部３０から送信した２つのパルス光Ｐａ，Ｐｂの位相の変化を、受信側ノード（Ｋ）１０ｂに設けられた検出部４１３により検出し、各パラメータの測定を行う。したがって、本実施例の測定装置３，４は、光通信ネットワーク１内に、不明確な構成のネットワーク１ａが存在する場合であっても、送信側ノード（Ａ）１０ａ、及び受信側ノード（Ｋ）１０ｂにおいて簡便にパラメータを測定できる。
【００７０】
次に、上述した測定方法により測定したパラメータを用いて、光通信ネットワーク１の経路を設計するネットワーク設計装置について説明する。図１２には、光通信ネットワークを管理するネットワーク管理システム（ＮＭＳ：Ｎｅｔｗｏｒｋ  Ｍａｎａｇｅｍｅｎｔ  Ｓｙｓｔｅｍ）の構成が示されている。ネットワーク管理システムは、送信側ノード（Ａ）１０ａ、及び受信側ノード（Ｋ）１０ｂの各伝送装置を管理するネットワーク管理装置５を有する。
【００７１】
本実施例のネットワーク管理装置５は、光通信ネットワーク１内の伝送装置を管理する機能に加えて、ネットワーク設計装置としての機能を有する。ネットワーク管理装置５は、通信処理部５０と、装置制御部５１と、選択部５２と、評価部５３とを有する。
【００７２】
通信処理部５０は、ＬＡＮなどの通信ネットワーク５４を介して、送信側ノード（Ａ）１０ａ、及び受信側ノード（Ｋ）１０ｂの各伝送装置との通信を処理する。装置制御部５１は、送信側ノード（Ａ）１０ａ、及び受信側ノード（Ｋ）１０ｂの各伝送装置の設定を行う。
【００７３】
評価部５３は、上述した測定装置３，４から、測定部４３が測定したパラメータの少なくとも１つを取得し、該パラメータに基づいて、送信側ノード（Ａ）１０ａと受信側ノード（Ｋ）１０ｂとの間の１つ、または複数の経路の伝送性能を評価する。すなわち、評価部５３は、図１に示された経路Ｒ１、または、これに加えて経路Ｒ２、及び他の経路について得られたパラメータに基づく伝送性能の評価を行う。
【００７４】
図１３には、伝送路数を例として、伝送性能の評価処理のフローが示されている。評価部５３は、通信ネットワーク５４を介して、測定部４３から、所定の経路について、伝送路数Ｎ、各伝送路の波長分散係数ｄ（ｎ）、及び距離Ｉ（ｎ）を取得する（ステップＳｔ２１）。
【００７５】
次に、評価部５３は、波長分散係数ｄ（ｎ）、及び全伝送路の合計距離Ｉ（ｎ）に基づいて、伝送可能な最大伝送路数を算出する（ステップＳｔ２２）。最大伝送路数は、各種の条件に基づいてシミュレーションを実行することにより取得してもよいが、例えば、シミュレーションにより得た数値を、予めデータベース化しておき、該データベースから取得してもよい。
【００７６】
図１４には、上記のデータベースが例示されている。このデータベースは、全伝送路の合計距離（つまり、Ｉ（１）＋Ｉ（２）＋・・・＋Ｉ（５））、及びファイバ種別（つまり波長分散係数ｄ（ｎ））に対応して、当該経路において取り得る最大伝送路数が記録されている。例えば、ファイバ種別がシングルモードファイバであり、合計距離が５０（ｋｍ）である場合、最大伝送路数は１６となる。なお、本例のデータベースは、各伝送路のファイバ種別が同一であることを前提としている。また、図中、ファイバ種別として、シングルモードファイバ（ＳＦ）、分散シフトファイバ（ＤＳＦ）、及び非零分散シフトファイバ（ＮＺ−ＤＳＦ）が挙げられているが、これに限定されることはない。
【００７７】
再び図１３を参照すると、評価部５３は、上記の最大伝送路数を、測定部４３が測定した伝送路数Ｎと比較する（ステップＳｔ２３）。そして、最大伝送路数≧伝送路数Ｎである場合（ステップＳｔ２３のＹＥＳ）、評価部５３は、当該経路について、伝送可能と判断する（ステップＳｔ２４）。一方、最大伝送路数＜伝送路数Ｎである場合（ステップＳｔ２３のＮＯ）、評価部５３は、当該経路について、伝送不可能と判断する（ステップＳｔ２５）。なお、評価部５３は、伝送路数の評価に限られることはなく、例えば、測定した距離Ｉ（ｎ）の合計に基づいて、送信端２ａ、及び受信端２ｂ（図２参照）間の光パワーのロスバジェット（伝送損失の許容値）の評価を行ってもよい。
【００７８】
また、図１２に示された選択部５２は、評価部５３による該評価の結果に基づいて、複数の経路から１つの経路を選択する。例えば、選択部５２は、図１に示された経路Ｒ１、及び経路Ｒ２について、評価部５３からそれぞれの評価の結果を取得し、伝送可能と判断された経路を選択し得る。また、両方の経路Ｒ１，Ｒ２が伝送可能と判断された場合、選択部５２は、例えば、伝送路数、伝搬遅延、及びロスバジェットなどの観点から、最も伝送性能が高い経路を選択する。
【００７９】
装置制御部５１は、送信側ノード（Ａ）１０ａと受信側ノード（Ｋ）１０ｂとの間において、選択部５２により選択された経路を介して、光信号が送受信されるように、光通信ネットワーク１内の複数の伝送装置を制御する。制御対象となる伝送装置は、図１２に示された構成において、送信側ノード（Ａ）１０ａ、及び受信側ノード（Ｋ）１０ｂとなる。なお、他の中継ノード（Ｂ）〜（Ｊ）１０ｃもネットワーク管理装置５により管理されている場合、これらの装置も制御対象となる。
【００８０】
図１５には、ネットワーク管理装置５の処理のフローが示されている。ネットワーク管理装置５は、評価部５３によって、送信側ノード（Ａ）１０ａから受信側ノード（Ｋ）１０ｂに至る複数の経路について、伝送性能の評価を行う（ステップＳｔ３１）。次に、ネットワーク管理装置５は、選択部５２によって、伝送性能の評価結果に基づいて、複数の経路から最適な経路を選択する（ステップＳｔ３２）。次に、ネットワーク管理装置５は、装置制御部５１によって、選択した経路を光通信ネットワーク１内の複数の伝送装置に設定する（ステップＳｔ３３）。このように、ネットワーク管理装置５は、光通信ネットワーク１内の経路を評価し、設定する。
【００８１】
本実施例のネットワーク管理装置５によると、上述した測定装置３，４により測定したパラメータを用いて、光通信ネットワーク１内の経路を決定し、また、当該経路を介して通信が行われるように伝送装置を制御する。したがって、本実施例のネットワーク管理装置５によると、経路の設計、及び設定の負荷が軽減される。
【００８２】
図１６には、送信側ノード（Ａ）１０ａの波長多重装置の構成が示されている。波長多重装置は、送信側測定装置３と、制御装置６０と、複数の主信号送受信装置６１と、ＭＵＸ／ＤＥＭＵＸ装置６２と、複数の受信側増幅装置６３と、複数の送信側増幅装置６４とを含む。
【００８３】
複数の主信号送受信装置６１は、それぞれ、波長λ１，λ２，・・・λｎの光信号を送信する送信装置、及び該光信号を受信する受信装置の両方の機能を備えている。ＭＵＸ／ＤＥＭＵＸ装置６２は、例えば複数の波長選択スイッチ（ＷＳＳ：Ｗａｖｅｌｅｎｇｈ  Ｓｅｌｅｃｔａｂｌｅ  Ｓｗｉｔｃｈ）を含み、各主信号送受信装置６１、各受信側増幅装置６３、及び各送信側増幅装置６４との間において光信号を入出力する。
【００８４】
具体的には、ＭＵＸ／ＤＥＭＵＸ装置６２は、主信号送受信装置６１から入力された光信号を、受信側増幅装置６３から入力される複数の波長λｊ，λｊ＋１の光信号に多重化し、送信側増幅装置６４に出力する。また、ＭＵＸ／ＤＥＭＵＸ装置６２は、受信側増幅装置６３から入力された複数の波長λｉ，λｉ＋１の光信号から、１つの波長の光信号を抽出して主信号送受信装置６１に出力する。
【００８５】
複数の受信側増幅装置６３、及び複数の送信側増幅装置６４は、それぞれ、光信号を増幅する光アンプなどを含む。複数の受信側増幅装置６３、及び複数の送信側増幅装置６４は、それぞれ、光通信ネットワーク１内の隣のノードと接続され、送信側ノード（Ａ）１０ａの方路に対応して設けられている。つまり、図１の例において、送信側ノード（Ａ）１０ａは、中継ノード（Ｂ）及び（Ｅ）１０ｃと接続されるから、２組の受信側増幅装置６３、及び送信側増幅装置６４が設けられる。
【００８６】
制御装置６０は、ＣＰＵ（Ｃｅｎｔｒａｌ  Ｐｒｏｃｅｓｓｉｎｇ  Ｕｎｉｔ）などの演算処理回路、及び、上述したネットワーク管理装置５との通信を処理する通信処理回路を含む。制御装置６０は、通信ネットワーク５４を介し、ネットワーク管理装置５と通信する。制御装置６０は、ネットワーク管理装置５から、選択部５２が選択した経路を示す経路情報を受信し、該経路情報に基づいて、主信号送受信装置６１、及びＭＵＸ／ＤＥＭＵＸ装置６２を設定する。
【００８７】
制御装置６０は、該経路情報に基づいて、光信号の波長、及び方路を決定し、主信号送受信装置６１、及びＭＵＸ／ＤＥＭＵＸ装置６２を設定する。設定処理は、例えば、ＭＵＸ／ＤＥＭＵＸ装置６２内の波長選択スイッチ、主信号送受信装置６１内の光源の波長制御回路に対して行われる。
【００８８】
また、送信側測定装置３は、制御装置６０を介して受信側測定装置４と通信し、測定処理を行う。このとき、制御装置６０は、送信側測定装置３から出力された波長λａ，λｂのパルス光Ｐａ，Ｐｂが、測定対象の経路に対応する送信側増幅装置６４に出力されるように、ＭＵＸ／ＤＥＭＵＸ装置６２を設定する。
【００８９】
一方、図１７には、受信側ノード（Ｋ）１０ｂの波長多重装置の構成が示されている。波長多重装置は、受信側測定装置４と、制御装置６０と、複数の主信号送受信装置６１と、ＭＵＸ／ＤＥＭＵＸ装置６２と、複数の受信側増幅装置６３と、複数の送信側増幅装置６４とを含む。なお、図中、図１６と共通の構成について、同一の符号を付し、その説明を省略する。
【００９０】
受信側測定装置４は、制御装置６０を介して送信側測定装置３と通信し、測定処理を行う。このとき、制御装置６０は、送信側測定装置３から出力された波長λａ，λｂのパルス光Ｐａ，Ｐｂが、測定対象の経路に対応する受信側増幅装置６４から受信側測定装置４に入力されるように、ＭＵＸ／ＤＥＭＵＸ装置６２を設定する。また、受信側測定装置４は、測定処理により取得したパラメータを、制御装置６０を介してネットワーク管理装置５に送信する。また、制御装置６０は、ネットワーク管理装置５から受信した経路情報に基づいて、受信側増幅装置６３から入力された光信号が、所定の主信号送受信装置６１の１つに出力されるように、ＭＵＸ／ＤＥＭＵＸ装置６２を設定する。設定は、例えば波長選択スイッチに対して行われる。
【００９１】
図１６、及び図１７に示された構成は、他の中継ノード（Ｂ）〜（Ｊ）１０ｃの波長多重装置ついても同様である。中継ノード（Ｂ）〜（Ｊ）１０ｃがネットワーク管理装置５により管理される場合、制御装置６０は、ネットワーク管理装置５から経路情報を受信する。そして、制御装置６０は、該経路情報に基づいて、光信号の波長、及び方路を決定し、ＭＵＸ／ＤＥＭＵＸ装置６２を設定する。これにより、中継ノード（Ｂ）〜（Ｊ）１０ｃを含み、送信側ノード（Ａ）１０ａから受信側ノード（Ｋ）１０ｂに至る経路が設定される。
【００９２】
また、上述した経路の設定機能は、ネットワーク管理装置５に代えて、図１６、及び図１７にそれぞれ示された送信側ノード（Ａ）１０ａ、及び受信側ノード（Ｋ）１０ｂを含む伝送システムに設けてもよい。図１８には、受信側ノード（Ｋ）１０ｂに経路の設定機能を設けた場合の制御装置６０の構成が示されている。なお、図中、符号６０ａは、送信側ノード（Ａ）１０ａの制御装置６０を示し、他方、符号６０ｂは、受信側ノード（Ｋ）１０ｂの制御装置６０を示す。
【００９３】
送信側ノード（Ａ）１０ａ側の制御装置６０ａは、通信処理部６００ａと、制御部６０１ａとを含む。また、受信側ノード（Ｋ）１０ｂ側の制御装置６０ｂは、通信処理部６００ｂと、制御部６０１ｂと、選択部６０２と、評価部６０３とを含む。
【００９４】
通信処理部６００ａは、複数の主信号送受信装置６１と、ＭＵＸ／ＤＥＭＵＸ装置６２と、送信側測定装置３との通信を処理する。一方、通信処理部６００ｂは、複数の主信号送受信装置６１と、ＭＵＸ／ＤＥＭＵＸ装置６２と、受信側測定装置４との通信を処理する。
【００９５】
評価部６０３は、上記の評価部５３と同様に、測定部４３が測定したパラメータの少なくとも１つを、通信処理部６００ｂを介して取得し、パラメータに基づき、送信側ノード（Ａ）１０ａと受信側ノード（Ｋ）１０ｂとの間の複数の経路について、それぞれの伝送性能を評価する。選択部６０２は、上記の選択部５２と同様に、評価部６０３による該評価の結果に基づいて、複数の経路から１つの経路を選択する。
【００９６】
また、制御部６０１ａ，６０１ｂは、送信側ノード（Ａ）１０ａ、及び受信側ノード（Ｋ）１０ｂの主信号送受信装置６１が、選択部６０２により選択された経路を介して、光信号を送受信するように、それぞれの主信号送受信装置６１を制御する。制御部６０１ａ，６０１ｂは、既に述べたように、選択部６０２により選択された経路を示す経路情報に基づいて、複数の主信号送受信装置６１と、ＭＵＸ／ＤＥＭＵＸ装置６２とを設定する。このとき、受信側ノード（Ｋ）１０ｂの制御部６０１ｂは、送信側ノード（Ａ）１０ａの制御部６０１ａから通信処理部６００ａ，６００ｂを介して該経路情報を受信する。
【００９７】
本実施例の伝送システムによると、上述した測定装置３，４により測定したパラメータを用いて、光通信ネットワーク１内の経路を決定し、また、当該経路を介して通信が行われるように主信号送受信装置６１、及びＭＵＸ／ＤＥＭＵＸ装置６２を制御する。したがって、本実施例の伝送システムによると、経路の設計、及び設定の負荷が軽減される。
【００９８】
本実施例において、選択部６０２、及び評価部６０３は、受信側ノード（Ｋ）１０ｂの制御部６０１ｂに設けられているが、送信側ノード（Ａ）１０ａの制御部６０１ａに設けられていてもよい。この場合、受信側ノード（Ｋ）１０ｂの制御部６０１ｂは、測定部４３から、測定処理により得たパラメータを取得し、通信処理部６００ｂを介して送信側ノード（Ａ）１０ａの制御部６０１ａに送信する。そして、制御部６０１ａは、受信したパラメータに基づいて経路を設定する。
【００９９】
また、本実施例において、制御部６０１ａ，６０１ｂは、送信側ノード（Ａ）１０ａ、及び受信側ノード（Ｋ）１０ｂの両方に設けられているが、何れか一方だけに設けられてもよい。この場合、他方のノード１０ａ，１０ｂの装置は、ネットワーク管理装置５を経由して経路の設定が行われるようしてもよい。
【０１００】
これまで述べた実施例において、測定装置３，４と主信号送受信装置６１は、互いに独立した装置として構成されているが、これに限定されることはなく、単一の装置として構成されてもよい。図１９には、測定装置３，４、及び主信号送受信装置６１の機能を有する通信装置の構成が示されている。
【０１０１】
この通信装置は、測定処理部７１と、送信処理部７２と、受信処理部７３とを含む。送信処理部７２は、第１送信ポート７２０と、分波器７２１と、第１変調器７２２と、第１光源７２３と、主信号生成部７２４とを含む。受信処理部７３は、受信ポート７３０と、信号処理部７３２と、合成部７３３と、分波器７３４と、第２光源７３５とを含む。測定処理部７１は、第２送信ポート７１０と、合波器７１１と、第２変調器７１２と、送信制御部７１３と、波長制御部７１４と、通信処理部７１５と、測定部７１６と、制御用ポート７１７とを含む。
【０１０２】
まず、送信処理部７２について説明する。第１光源７２３は、主信号生成部７２４、または波長制御部７１４により制御された波長の光を出力する波長可変光源である。第１変調器７２２は、例えば、ＬＮ変調器であり、主信号生成部７２４からの制御に従って、第１光源７２３の光から主信号を生成する。また、第１変調器７２２は、送信制御部７１３からの制御に従って、第１光源７２３の光から上記のパルス光Ｐａを生成する。
【０１０３】
つまり、第１光源７２３、及び第１変調器７２２は、主信号、及びパルス光Ｐａの一方を生成する。パルス光Ｐａを生成する場合、送信制御部７１３は、主信号生成部７２４に停止信号を送信することによって、主信号の生成を停止制御する。
【０１０４】
分波器７２１は、例えば光カプラであり、第１変調器７２２からの光を、第１送信ポート７２０、及び、測定処理部７１の合波器７１１に出力する。第１送信ポート７２０は、主信号を送信するためのポートであり、例えば光コネクタである。
【０１０５】
次に、受信処理部７３について説明する。受信ポート７３０は、主信号、または上記のパルス光Ｐａ，Ｐｂを受信するためのポートであり、例えば光コネクタである。
【０１０６】
第２光源７３５は、波長制御部７１４により制御された波長の光を出力する波長可変光源である。分波器７３４は、例えば光カプラであり、第２光源７３５からの光を、合成部７３３、及び第２変調器７１２に出力する。合成部７３３は、分波器７３４からの第２光源７３５の光と、受信ポート７３０からの光信号を合成する。
【０１０７】
信号処理部７３２は、合成部７３３から入力された光信号を、電気信号に変換する。また、信号処理部７３２は、合成部７３３から入力されたパルス光Ｐａ，Ｐｂによって、上記の時間差τｒを計測し、また、パルス光Ｐａ，Ｐｂの一方の位相の変化を検出する。すなわち、信号処理部７３２は、図９に示された揺らぎ検出器４１、及び時間差検出器４２と同様の機能を有する。信号処理部７３２は、計測した時間差τｒと、位相の変化の検出信号とを測定部７１６に出力する。
【０１０８】
次に、測定処理部７１について説明する。送信制御部７１３は、図９に示された送信制御部３３と同様に、時間間隔τｔを変化させつつ、２つのパルス光Ｐａ，Ｐｂが繰り返して送信されるように、第１変調器７２２、及び第２変調器７１２を制御する。これにより、パルス光Ｐａ，Ｐｂは、第１変調器７２２、及び第２変調器７１２からそれぞれ出力される。また、送信制御部７１３は、測定処理を行う場合、主信号が生成されないように、上述した停止信号を主信号生成部７２４に出力する。波長制御部７１４は、図９に示された波長制御部３２と同様に、第１光源７２３、及び第２光源７３５に波長λａ，λｂをそれぞれ設定する。
【０１０９】
また、測定部７１６は、図９に示された測定部４３と同様に、時間差τｒと、位相の変化の検出信号が入力され、これに基づいて各パラメータの測定を行う。通信処理部７１５は、制御ポート７１７を介して他の装置と接続されている。制御ポート７１７は、例えばＲＪ−４５などの通信用コネクタである。
【０１１０】
通信処理部７１５は、図９に示された通信処理部３４，４４と同様に、通信を処理する。すなわち、通信処理部７１５は、送信側ノード（Ａ）１０ａと受信側ノード（Ｋ）１０ｂの間の通信を処理する。これにより、測定部６１６は、送信側ノード（Ａ）１０ａに設けられた送信制御部６１３、及び波長制御部６１４と制御信号を送受信する。
【０１１１】
このように、測定装置３，４と主信号送受信装置６１を、単一の装置として構成することによって、実装スペースを低減し、装置の小型化を図ることができる。
【０１１２】
以上、好ましい実施例を参照して本発明の内容を具体的に説明したが、本発明の基本的技術思想及び教示に基づいて、当業者であれば、種々の変形態様を採り得ることは自明である。
【符号の説明】
【０１１３】
１                    光通信ネットワーク
１０ａ                送信側ノード
１０ｂ                受信側ノード
１０ｃ                中継ノード
３，４                測定装置
３０                  送信部
３２                  波長制御部
３３                  送信制御部
４３                  測定部
４１５，４２１        受信部
４２２                計測部
５                    ネットワーク設計装置
５３                  評価部
５２                  選択部
６１                  主信号送受信装置（送信装置、受信装置）
６０２                選択部
６０３                評価部
【図１】
0005862388.tif 000002
【図２】
0005862388.tif 000003
【図３】
0005862388.tif 000004
【図４】
0005862388.tif 000005
【図５】
0005862388.tif 000006
【図６】
0005862388.tif 000007
【図７】
0005862388.tif 000008
【図８】
0005862388.tif 000009
【図９】
0005862388.tif 000010
【図１０】
0005862388.tif 000011
【図１１】
0005862388.tif 000012
【図１２】
0005862388.tif 000013
【図１３】
0005862388.tif 000014
【図１４】
0005862388.tif 000015
【図１５】
0005862388.tif 000016
【図１６】
0005862388.tif 000017
【図１７】
0005862388.tif 000018
【図１８】
0005862388.tif 000019
【図１９】
0005862388.tif 000020